(57)【要約】【課題】例えばダイレクトメールとして、封筒などを用いることなく、そのまま配送することができ、しかも同封された返信用のはがきやファックス用紙などに、受取人が自分の住所・氏名を記入する必要がなく、受取人の手間を最小限にすることができる送付用冊子を提供する。【解決手段】製本された冊子の裏表紙２ｂの自由端側にミシン目Ｃを介して連続する封着片２ｃを設けると共に、表紙２ａと冊子本体５の間に、受取人の宛名Ａを記載したはがきやファックス用紙などの別紙片６を剥離可能に貼着し、上記封着片２ｃを表紙２ａに剥離可能に貼着し、上記宛名Ａを表紙２ａに形成した窓状開口部Ｏから露出させる。【選択図】図４
2012171271.tif 000002
【特許請求の範囲】
【請求項１】
製本された冊子の表紙及び裏表紙のいずれか一方の自由端側に、ミシン目を介して連続する封着片が設けてあり、該封着片が上記表紙及び裏表紙の他方に剥離可能に貼着されていると共に、上記表紙及び裏表紙以外の冊子本体と表紙との間には送付先の宛名が記載された別紙片が剥離可能に貼着されており、当該別紙片に記載された上記宛名が表紙に設けた窓状開口部から視認可能であることを特徴とする送付用冊子。
【請求項２】
上記冊子本体を構成する少なくとも１頁の頁幅がこれよりも表紙側に位置する頁の幅よりも大きく、表紙側頁から露出した部分がインデックスとなっていることを特徴とする請求項１に記載の送付用冊子。
【請求項３】
上記別紙片の紙質及び／又は厚さが冊子本体とは異なるものであることを特徴とする請求項１又は２に記載の送付用冊子。
【請求項４】
上記別紙片がファックス用紙、振り込み用紙、はがき、封筒及びカードのいずれかであることを特徴とする請求項１〜３のいずれか１つの項に記載の送付用冊子。
【請求項５】
上記別紙片がファックス用紙であって、当該用紙を剥離可能に貼着する接着剤が用紙の送給方向と略平行な線状に塗布してあることを特徴とする請求項４に記載の送付用冊子。
【請求項６】
上記別紙片がファックス用紙であって、当該用紙を剥離可能に貼着する接着剤の塗布幅が１〜２ｍｍであることを特徴とする請求項４又は５に記載の送付用冊子。
【発明の詳細な説明】
【技術分野】
【０００１】
本発明は、例えば商品のカタログや宣伝用のパンフレットなどとして好適に用いられる冊子に係わり、特に、ダイレクトメールとして取引先の企業や一般家庭などに宅配するのに適した送付用冊子に関するものである。
【背景技術】
【０００２】
商品や各種サービスに関する説明などを記載した文書を顧客や、新たな顧客開発のために、一般の会社や個人宛に直接送付する種々のダイレクトメールが宣伝や販売促進に広く利用されている。
このような商品のカタログや、商品説明などを記載したパンフレットとしては、その目的や配布対象に応じて種々のものが考えられるが、その情報量やアピール力、保管性などの観点から、複数の紙片を綴じて製本した冊子状のものとすることが望ましい。
【０００３】
このような冊子状のカタログやパンフレットをダイレクトメールとして宅配する場合、これらを封筒のような袋状のものに入れる必要があるが、このような袋詰め作業には手間と費用がかかると共に、封筒などはいずれ捨てられることになるため、資源の無駄が生じることになる。
【０００４】
このような観点から、例えば特許文献１には、製本された冊子の表紙の自由端側からミシン目を介して連接された封着片を設け、これを裏表紙に剥離可能に貼着することによって、封筒を使用することなく安価に送付することができ、しかも配送途中でページが開くことのない冊子が記載されている。
【先行技術文献】
【特許文献】
【０００５】
【特許文献１】特開２００６−５１６２７号公報
【発明の概要】
【発明が解決しようとする課題】
【０００６】
しかしながら、上記特許文献に記載の冊子は、印刷から、製本、糊付け、圧着に到るほとんどの工程を自動ラインで処理することができ、発送作業を大幅に簡略化することができる。また、必要に応じて、はがきやファックス用紙などの返信手段を同封することもできる。
しかし、これらはがきやファックス用紙を用いて返信するに際しては、受取人の側で、差出人、すなわち自分の住所や氏名を記入することが必要であって、受取人に手間を掛けさせる結果となる。なお、当該冊子の発送側で、返信用はがきやファックス用紙に受取人の住所・氏名を予め印字しておくこともできなくはないが、この場合には、宛名印字や同封作業が別工程となって、冊子の宛名（受取人）と返信用はがきやファックス用紙との記載内容にミスマッチが生じる可能性がないとは言えない。
【０００７】
本発明は、カタログやパンフレットなどとして配送される送付用冊子における上記のような課題に着目してなされたものである。そして、その目的とするところは、封筒などを用いることなくそのまま配送することができ、しかも同封された返信用のはがきやファックス用紙などに、受取人が自分の住所・氏名を記入する手間を省略することができる送付用冊子を提供することにある。
【課題を解決するための手段】
【０００８】
本発明の送付用冊子は、製本された冊子の表紙及び裏表紙のいずれか一方の自由端側に、ミシン目を介して連続する封着片が設けてあり、該封着片が上記表紙及び裏表紙の他方に剥離可能に貼着されていると共に、上記表紙及び裏表紙以外の冊子本体と表紙との間には、送付先の宛名が記載された別紙片が剥離可能に貼着されており、当該別紙片に記載された宛名が表紙に設けた窓状開口部から視認できるようになっていることを特徴としている。
【０００９】
また、本発明の好適形態としては、冊子本体を構成する少なくとも１頁の頁幅がこれよりも表紙側に位置する頁の幅よりも大きく、表紙側頁から露出した部分がインデックスとなっており、他の好適形態としては、上記別紙片がファックス用紙、振り込み用紙、はがき、封筒及びカードのいずれかであることを特徴とする。
さらに、上記別紙片の紙質及び／又は厚さが冊子本体と異なるものであることを特徴とする。
【００１０】
本発明のさらなる好適形態としては、上記別紙片がファックス用紙であって、当該用紙を剥離可能に貼着する接着剤が当該ファックス用紙の送給方向と略平行な線状に塗布してあることを特徴としており、必要に応じて、上記接着剤の塗布幅を１〜２ｍｍとすることができる。
【発明の効果】
【００１１】
本発明によれば、製本された冊子の表紙及び裏表紙のいずれか一方の自由端側（見開き側）、例えば表紙の自由端側にミシン目を介して連続する封着片が上記表紙及び裏表紙の他方、例えば裏表紙に剥離可能に貼着されている。したがって、配送途中で当該冊子のページが開くようなことがないので、封筒などを用いることなく、そのまま配送することができ、封筒への封入に要する手間やコスト、資源の無駄を無くすことができる。
【００１２】
また、表紙と冊子本体の間には、例えばはがきやファックス用紙、振り込み用紙などとして、別紙片が剥離可能に貼着されている。そして、当該別紙片には送付先の宛名が記載されており、これが表紙に設けた窓状開口部から視認できるようになっており、当該送付用冊子は、別紙片に記載された宛名の住所に配送されることになる。
当該冊子を受け取った側では、貼着された封紙片を裏表紙から剥離させた後、あるいは剥離させながらミシン目によって表紙から切離すことができ、閲覧や保管に便利な通常の形態の冊子となる。
【００１３】
一方、表紙と冊子本体の間に挟み込まれた上記別紙片は、当該送付用冊子から容易に分離することができ、受取人はそれぞれの用途に応じて利用することができる。このとき、当該別紙片には既に送付先の宛名が記載されているので、自分（受取人）の住所・氏名を別紙片に記入する手間が不要となる。
【図面の簡単な説明】
【００１４】
【図１】（ａ）〜（ｃ）は本発明の第１の実施例に係わる送付用冊子を構成する各用紙の形状を示す図である。
【図２】（ａ）及び（ｂ）は本発明の第１の実施例に係わる送付用冊子の製造手順を説明する工程図である。
【図３】（ｃ）及び（ｄ）は図２に続く製造手順を説明する工程図である。
【図４】本発明の第１の実施例に係わる送付用冊子の完成状態を示す平面図である。
【図５】本発明の第２の実施例に係わる送付用冊子に用いる表紙用紙の形状を示す平面図である。
【図６】本発明の第２の実施例に係わる送付用冊子の中綴じ工程を説明する斜視図である。
【図７】本発明の第２の実施例に係わる送付用冊子における表紙及び裏表紙の取り外し要領を説明する斜視図である。
【発明を実施するための形態】
【００１５】
以下、本発明の送付用冊子の実施形態などについて、さらに詳細に説明する。
【００１６】
本発明の送付用冊子は、カタログやパンフレットなどをダイレクトメールと送付するのに好適な冊子であって、上記したように、表紙及び裏表紙の一方に設けた封着片を介して表紙と裏表紙を見開き側で剥離可能に連結することによって当該冊子を閉じた状態に保持するようにしている。そして、表紙と冊子本体の間には、例えばファックス用紙や振り込み用紙、はがきなど、冊子本体とは異なる別紙片が剥離可能に貼着され、この別紙片には送付先の宛名が記載されており、表紙に設けた窓状開口部から視認できるようになっている。
【００１７】
したがって、封筒などを用いることなく宅配便などによる企業や一般家庭などへの送付が可能となると共に、別紙片に記載された住所・氏名を表紙に設けた窓状開口部から露出させ、これを送付時の宛名として利用するようにしたことから、受取人が自分の住所・氏名を記入する必要がなくなり、受取人がしなければならない手間を最小限のものとすることができる。
また、上記封着片を表紙又は裏表紙にミシン目を介して連設したことによって、当該封着片を冊子から容易に除去することができ、これによって送付された冊子のみを保管することができるようになる。
【００１８】
本発明の送付用冊子においては、表紙及び裏表紙を除いた冊子本体について、これを構成する少なくとも１頁の頁幅をこれよりも表紙側に位置する頁の幅よりも大きくすることによって、当該頁の端部が表紙側頁から露出するようにし、この部分をインデックスとして用いるようにすることが望ましい。これによって、当該頁の記載内容を冊子を開くことなく把握することができるようになる。
【００１９】
また、表紙と冊子本体の間に剥離可能に貼着される別紙片としては、冊子本体とは異なる紙質や厚さのものを用いることもでき、別紙片をその用途に応じた最適な強度や柔軟性（可撓性）のものとすることができる。また、既製のはがきや封筒、カードなどを適用することもできる。
【００２０】
本発明の送付用冊子において、上記別紙片の用途としては、特に限定されず、冊子の種類や目的、内容に応じた種々のものを綴じ込むことができる。
例えば、ファックス用紙やはがき、封筒などを剥離可能に綴じ込むことができ、送付された冊子に対する返信用として、例えば、商品の注文、アンケートの回答、追加資料やサンプルの請求等に用いることが考えられる。
【００２１】
また、振り込み用紙を別紙片として綴じ込むことができる。このとき、ゆうちょ銀行や市中銀行など、既製の振り込み用紙を用いることもでき、商品代金、会費、賛助金などの徴収に利用することができる。
その他、カード状のものを別紙片として、例えば、展示会や頒布会などの入場整理券、抽選券に用いることも考えられる。この場合、回収されたカードを参加者の確認や顧客傾向の分析などに利用することができる。
【００２２】
本発明の送付用冊子の製本形態としては、特に限定されず、例えばステープラーを用いた中綴じや、このような針金を用いない無線綴じ、網代綴じ、糸かがり、のり綴じなどを適用することができる。
【００２３】
当該送付用冊子がステープラーによって中綴じされている場合には、連続する表紙及び裏表紙用紙片の折り目上、すなわち冊子の背の部分にミシン目を形成するようにすることもでき、当該ミシン目から表紙及び裏表紙を切り離すことによって、冊子本体から表紙と裏表紙を除去して本体部分のみを保管することができるようになる。
【００２４】
上記封着片を表紙及び裏表紙の他方に剥離可能に貼着したり、上記別紙片を表紙や冊子本体に剥離可能に貼着したりするには、市販の液状剥離性接着剤を用い、これをスプレー塗布した後、封着片を折り重ねて圧着することによって貼着することができる。このような市販の剥離性接着剤としては、例えば、ドイツ・プラナトール社製のプラナトールなどを挙げることができる。
また、接着剤は糊版を作製して、転写により塗布することもできる。
【００２５】
このとき、別紙片の貼着に際しては、接着剤を過剰に塗布することは、接着強度が高くなって紙片が破損したり、再接着が生じたりする可能性がないとは言えず、必ずしも望ましくない。
【００２６】
特に、上記別紙片がファックス用紙の場合、接着剤が過剰に塗布されていると、ファックス機器内で用紙の紙詰まりが生じる危険性が高くなる傾向があることから、接着剤の塗布幅を１〜２ｍｍの範囲内とすることが望ましい。なお、接着剤の塗布幅が１ｍｍに満たない場合には、接着強度が不足して、当該用紙を表紙と冊子本体の間に貼着した状態に保持できなくなることがある。
さらに、このような用紙の紙詰まりをより確実に防止する観点から、上記接着剤をファックス用紙の送給方向と略平行な線状に塗布するようにすることが望ましい。
【実施例】
【００２７】
以下、本発明を実施例に基づいて具体的に説明する。なお、本発明は、これらの実施例のみに限定されることはない。
【００２８】
（実施例１）
ダイレクトメールとしての送付用冊子１を作成するため、図１（ａ）〜（ｃ）に示すように、Ａ３サイズより若干大きな表紙用紙２と、ほぼＡ３サイズの２枚の用紙３，４を二つ折りして成る都合８ページの冊子本体５と、上記用紙２，３，４とは紙質が異なるほぼＡ４サイズの別紙片６を準備した。
【００２９】
図１（ａ）に示す表紙用紙２は、表紙２ａ及び裏表紙２ｂとなるものであって、Ａ４サイズの裏表紙２ｂと、横寸法がこれより約３０ｍｍ程小さい表紙２ａが折り線Ｆを介して連続している。そして、裏表紙２ｂの自由端側（綴じ目の反対側であって、冊子の見開き側）には、約５０ｍｍ幅の封着片２ｃが一体的に設けてあり、裏表紙２ｂとの境界には、切り取り線となるミシン目Ｃが形成してある。
そして、上記表紙２ａの上方位置には、窓状開口部Ｏが形成してある。
【００３０】
一方、図１（ｂ）に示す冊子本体５は、二つ折りされた用紙３及び４の折り目位置（中綴じ位置）をずらすことによって、各ページ３ａ、４ａ、４ｂ、３ｂの頁幅がこの順に、言い換えると図中の下方側、つまり裏表紙側に行くほど、約８ｍｍずつ大きくなるようにしてある。
具体的には、最も下方側に位置するページ３ｂの幅（横）寸法はＡ４サイズよりも８ｍｍ小さく、その上に位置するページ４ｂは１６ｍｍ、さらにその上のページ４ａは２４ｍｍ、ページ３ａについては３２ｍｍだけ、Ａ４サイズよりも幅寸法がそれぞれ小さなものとなっている。
【００３１】
図１（ｃ）に示す別紙片６は、この実施例においては、日本製紙（株）製ユーライト６２．５ｋｇを使用して成る商品の注文用のファックス用紙であって、上記用紙２，３，４（日本製紙（株）製ユーライト７６．５ｋｇ）よりもやや薄く、ファックス用紙に好適な強度を備え、幅寸法がＡ４サイズよりも約４０ｍｍだけ小さなものとなっている。
そして、当該ファックス用紙６の上部には、冊子の送付先の宛名（住所・氏名）の記入欄Ｂが設けてあると共に、下方部分は注文用のフォームが印刷されている。
【００３２】
まず、図２（ａ）に示すように、別紙片であるファックス用紙６には、その図中左端の裏面側に長手方向に沿って、剥離性接着剤（ドイツ・プラナトール社製プラナトール８１／２０／３）が１．５ｍｍ幅の線状に塗布される。そして、これを冊子本体の第１頁目となる用紙３のページ３ａ上に重ねた状態で圧着することによって、当該ファックス用紙６がページ３ａの左端部分において、剥離可能に貼着される。
次に、二つ折りされ、ページ３ａに剥離可能に貼着されたファックス用紙６を備えた用紙３の間に、同じく二つ折りされた用紙４を差し込み、冊子本体５とする。
【００３３】
そして、図２（ｂ）に示すように、上記のように組み合わされた冊子本体５を表紙用紙２と合わせて、ステープラーＳを用いて中綴じする。
このとき、紙資源のリサイクル効率を高める観点からは、このような金属製のステープラーに代えて、のり綴じなどによる中綴じを採用することが望ましい。
【００３４】
図３（ｃ）は、中綴じされた冊子の表紙２ａを見開いた状態を示す平面図であって、冊子本体５を構成する各ページ３ｂ、４ｂ、４ａ、３ａ及びファックス用紙６の頁幅を上記のように順次小さくしたことによって、各ページの右端部分が、上側（表紙側）のページに隠れることなく露出することになる。したがって、この露出部分に当該ページの記述内容を記載しておくことによって、右端部分を各ページのインデックスとして利用することができ、冊子を開くことなく各頁の記載内容を知ることができる。
【００３５】
図３（ｃ）に示した見開き状態において、表紙２ａを折り線Ｆから折り曲げ、図３（ｄ）に示すように、当該表紙２ａを冊子本体に剥離可能に貼着されたファックス用紙６の上に折り重ねる。
次に、表紙用紙２における封着片２ｃの右側端部寄りの位置に、上記した剥離性接着剤を塗布したのち、当該封着片２ｃをミシン目Ｃから折り曲げ、表紙２ａの上に重ねて圧着することによって、この封着片２ｃが表紙２ａに剥離可能に貼着される。そして、表紙２ａに設けた窓状開口部Ｏから露出するファックス用紙６の記入欄Ｂに、送付先の宛名Ａを印字することによって、図４に示すような送付用冊子１が得られる。
【００３６】
このようにして得られた送付用冊子１においては、封着片２ｃによって表紙２ａと裏表紙２ｂとが見開き側において連結されているので、閉じた状態に保持することができ、搬送途中でページが開くことによって、汚れたり、破損したりすることがないため、封筒などに入れることなく、そのまま配送することができ、準備の手間やコスト、資源の無駄を省くことができる。
【００３７】
一方、上記の宛名Ａに基づいて送付された当該冊子１を受け取った側では、封着片２ｃを剥がし、ミシン目Ｃに沿って切り離すことによって通常の形態の冊子となることから、保管や閲覧に適したものとなり、このとき発生する紙くずも、幅５０ｍｍ程度の最小限のものとすることができる。
また、冊子１の閲覧に際しては、各ページの端部がインデックスとなっているので、各ページの記載内容を知ることができ、所望のページを速やかに開くことができ、特にページ数の多いカタログなどに好適なものとなる。なお、ページ数が特に多い場合には、インデックスとなるページ端辺を段付き形状にすることもできる。
【００３８】
さらに、表紙２ａと冊子本体５の間に綴じ込まれたファックス用紙６は、冊子本体５のページ３ａから容易に剥離することができ、これを用いて商品を発注することができる。  このとき、ファックス用紙には、発注人、すなわち当該送付用冊子１の受取人の住所・氏名が発送時に既に印字されているので、受取人が記入する必要がなく、発注時の手間が最小限のものとなる。
【００３９】
この実施例においては、別紙片を注文用のファックス用紙とした例を示したが、注文用意外には、アンケートや資料の追加請求や、サンプル請求等にも利用することができる。  さらには、ファックス用紙に替えて、はがきや封筒、カード状のもの等とすることも可能である。
【００４０】
（実施例２）
図５は、実施例２に用いた表紙用紙８の形状を示すものであって、当該表紙用紙８は、基本的には先の実施例と同様のものであるが、表紙８ａと裏表紙８ｂの間の折り線に代えてミシン目Ｃが形成されている。
また、Ａ３サイズの用紙２枚を二つ折りしてなる都合８頁から成るＡ４サイズの冊子本体９を用いた他は、上記した実施例１と同様の手順によって送付用冊子１１を得た。
【００４１】
すなわち、図６に示すように、表紙側に剥離可能に貼着されたファックス用紙６を備えた冊子本体９は、ステープラーＳによって表紙用紙８と共に中綴じされる。
そして、ミシン目Ｃから折り曲げられ、ファックス用紙６の上に折り重ねた表紙８ａに、ミシン目Ｃから折り曲げられた封着片８ｃを同様に剥離可能に貼着することによって、外観上は図４と同様の送付用冊子１１が得られる。
【００４２】
このような送付用冊子１１を受け取った側では、図７に示すように、封着片８ｃを剥がしたのち、表紙８ａと裏表紙８ｂとをミシン目Ｃから切り離すことができ、これによって、冊子本体９を表紙用紙８から分離して保管することができるようになり、保管や閲覧により適したものとなる。
【符号の説明】
【００４３】
１、１１  送付用冊子
２ａ、８ａ  表紙
２ｂ、８ｂ  裏表紙
２ｃ、８ｃ  封着片
５、９  冊子本体
６  別紙片（ファックス用紙）
Ｏ  窓状開口部
Ｃ    ミシン目
Ｆ    折り線
【図１】
2012171271.tif 000003
【図２】
2012171271.tif 000004
【図３】
2012171271.tif 000005
【図４】
2012171271.tif 000006
【図５】
2012171271.tif 000007
【図６】
2012171271.tif 000008
【図７】
2012171271.tif 000009